(57)【要約】  【課題】塵埃の付着等に起因する誤動作を生じさせることのない係止解除手段を備えたカメラ用フォーカルプレンシャッタを提供すること。  【解決手段】先羽根用係止部材１５と後羽根用係止部材１６は、図示していない各々のばねによって反時計方向へ回転するように付勢されていて、係止部１５ａ，１６ａによって、先羽根用駆動部材１１と後羽根用駆動部材１２をセット状態に係止する。電磁プランジャ１７，１８は、撮影時においてそれらのソレノイドに順に通電されると、それらの可動子１７ａ，１８ａを、図示していないばねの付勢力に抗して直進させ、先羽根用係止部材１５と後羽根用係止部材１６の被押動部１５ｂ，１６ｂを押して上記の係止を解除させ、上記の駆動部材１１，１２によって、先羽根と後羽根を順に走行させ得るように構成されている。【選択図】  図１６
2006098484.tif 000002
【特許請求の範囲】
【請求項１】
露光開口を開閉する少なくとも一つのシャッタ羽根と、前記シャッタ羽根に連結されていて撮影時には駆動ばねの付勢力によって前記シャッタ羽根を伴ってセット位置から作動させられる少なくとも一つの駆動部材と、撮影終了後に前記シャッタ羽根を伴って前記駆動部材を前記駆動ばねの付勢力に抗してセット位置へ作動させるセット部材と、前記駆動部材をセット位置で前記駆動ばねの付勢力に抗して係止する少なくとも一つの係止部材と、コイルと往復作動可能な軸状の可動子とを有していて撮影に際して該コイルに通電されたとき該可動子が往動して前記係止部材による前記駆動部材の係止を解除させる少なくとも一つの係止解除手段と、を備えていることを特徴とするカメラ用フォーカルプレンシャッタ。
【請求項２】
前記コイルと前記可動子とは、前記コイルがソレノイドであり、前記可動子は、該ソレノイドの中空部内において、該ソレノイドに通電されるとばねの付勢力に抗して往動され、通電を断つと該ばねの付勢力によって復動する電磁プランジャユニットとして構成されていることを特徴とする請求項１に記載のカメラ用フォーカルプレンシャッタ。
【請求項３】
前記係止解除手段が、さらに、前記可動子に連動して作動する仲介部材を有していて、前記コイルに通電されたとき、前記可動子が前記仲介部材を介して前記係止部材による前記駆動部材の係止を解除させるようにしたことを特徴とする請求項１又は２に記載のカメラ用フォーカルプレンシャッタ。
【請求項４】
前記係止解除手段が、さらに、初期位置から自己の習性で作動したとき前記係止部材による前記駆動部材の係止を解除させる解除部材と、セット時に自己の習性に抗して作動させられ前記解除部材を初期位置に作動させた後は次の撮影までホールド係止部材に係止されて前記解除部材を初期位置に維持させるホールド部材と、を有していて、撮影に際して前記コイルに通電され前記可動子が往動して前記解除部材を初期位置に維持させると、前記ホールド部材は前記レリーズ部材による係止を解かれ、その直後に前記可動子が復動すると、前記解除部材が自己の習性で初期位置から作動するようにしたことを特徴とする請求項１又は２に記載のカメラ用フォーカルプレンシャッタ。
【請求項５】
前記少なくとも一つのシャッタ羽根が、二つのシャッタ羽根であり、前記少なくとも一つの駆動部材が、前記二つのシャッタ羽根に個々に連結した二つの駆動部材であり、前記少なくとも一つの係止部材が、前記二つの駆動部材をセット位置で個々に係止する二つの係止部材であり、前記少なくとも一つの係止解除手段が、前記二つの係止部材による前記二つの駆動部材の係止を個々に解除させる二つの係止解除手段であって、撮影に際しては前記二つの係止解除手段のコイルに対して所定の時間間隔で通電するようにしたことを特徴とする請求項１乃至４のいずれかに記載のカメラ用フォーカルプレンシャッタ。
【発明の詳細な説明】
【技術分野】
【０００１】
本発明は、銀塩フィルムカメラやデジタルカメラに用いられるカメラ用フォーカルプレンシャッタに関する。
【背景技術】
【０００２】
カメラ用フォーカルプレンシャッタの中には、シャッタ地板，中間板，補助地板と称されている３枚の板部材の間に二つの羽根室を構成し、それらの羽根室内に、先羽根，後羽根と称されている二つのシャッタ羽根を個別に配置すると共に、羽根室外においては、シャッタ地板に、先羽根用駆動部材と後羽根用駆動部材を取り付け、それらによって先羽根と後羽根を作動させるようにしたものが知られている。そして、この種のフォーカルプレンシャッタは、銀塩フィルムカメラにもデジタルカメラにも採用されている。また、一つのシャッタ羽根が、シャッタ地板と補助地板との間に構成された羽根室内に配置されており、シャッタ地板に取り付けられている一つの駆動部材が、撮影終了時に、シャッタ羽根に露光開口を覆わせるようにしたものも知られているが、この種のフォーカルプレンシャッタは、デジタルカメラにだけ採用されている。
【０００３】
また、これらのフォーカルプレンシャッタにおいては、上記の各駆動部材が、撮影時には、駆動ばねの付勢力によって回転させられ、セット時には、セット部材によって、その駆動ばねの付勢力に抗して回転させられるように構成されているため、少なくとも撮影開始の直前には、駆動部材は、露光作動開始位置で、何らかの手段によって、駆動ばねの付勢力に抗して保持されているようにし、その保持力が解除されることによって、作動を開始し得るようにしている。そして、その保持方法には、係止タイプと称されている構成のものと、ダイレクトタイプと称されている構成のものとが知られているが、本発明のフォーカルプレンシャッタは、下記の特許文献１や特許文献２に開示されているような、係止タイプに属するものである。
【０００４】
本発明で対象にしている係止タイプのフォーカルプレンシャッタは、通常、露光開口を開閉する少なくとも一つのシャッタ羽根と、そのシャッタ羽根に連結されていて撮影時には駆動ばねの付勢力によってシャッタ羽根を伴ってセット位置から作動させられる少なくとも一つの駆動部材と、撮影終了後にシャッタ羽根を伴って駆動部材を駆動ばねの付勢力に抗してセット位置へ作動させるセット部材と、駆動部材をセット位置で駆動ばねの付勢力に抗して係止する少なくとも一つの係止部材と、撮影に際して係止部材による駆動部材の係止を解除する少なくとも一つの係止解除手段と、を備えたものである。
【０００５】
そして、特許文献１には、それらのシャッタ羽根，駆動部材，係止部材を、各々二つずつ備えたフォーカルプレンシャッタが記載されている。また、特許文献２には、そのような二つの係止部材による二つの駆動部材の係止を順に解除するようにした二つの係止解除手段の構成が記載されている。また、周知のように、フォーカルプレンシャッタの中には、撮影時に、シャッタ羽根を露光開口の上方から下方へ作動させるものと、下方から上方へ作動させるものとがある。そして、特許文献１に記載のフォーカルプレンシャッタは下方から上方へ作動させるものであるのに対して、特許文献２に記載の具体的な構成の係止解除手段は、上方から下方へ作動させるものを前提にして説明されているが、このような特許文献２に記載の係止解除手段は、撮影時において二つの電磁石コイルへの通電を断つ順序を逆にすれば、特許文献１に記載のフォーカルプレンシャッタにも採用できるものである。
【特許文献１】特開２００２−１３９７６９号公報
【特許文献２】実公平４−３３０１号公報
【発明の開示】
【発明が解決しようとする課題】
【０００６】
ところで、特許文献２に記載されている従来の係止解除手段は、二つの鉄片レバー（４，７）の鉄片（４ａ，７ａ）を、予めホールド板（１５）で各々の電磁石コイル（２，３）に接触させておき、撮影時にレリーズボタンを押すと、先ず、電磁石コイル（２，３）に通電し、鉄片（４ａ，７ａ）を磁気的に吸引保持させた後、ホールドレバー（１０，１２）を介して、ホールド板（１５）を鉄片レバー（４，７）から離し、その後、電磁石コイル（２，３）に対する通電を所定の時間間隔で順に断つことによって、鉄片レバー（４，７）が二つの係止部材による各々の駆動部材の係止を解除するようにしている。
【０００７】
ところが、このような構成の係止解除手段は、電磁石コイル（２，３）と鉄片（４ａ，７ａ）との間に塵埃が付着すると、電磁石コイル（２，３）による保持力が十分に得られず、鉄片レバー（４，７）が所期のタイミングよりも早く作動して、係止部材による駆動部材の係止を解除してしまうことがあるという問題点がある。また、カメラを長期間使用していないと、湿気等によって電磁石コイル（２，３）の鉄心と鉄片レバー（４，７）の鉄片（４ａ，７ａ）との間に接着作用が働いて、電磁石コイル（２，３）に対する通電を断っても、鉄片レバー（４，７）が直ちに作動せず、係止部材による駆動部材の係止を、所定のタイミングで解除できないことがあるという問題点がある。
【０００８】
また、特許文献２に記載の係止解除手段の構成は、電磁石コイルと鉄片レバーとが二組のほかに、二つのホールドレバー（１０，１２），一つのレリーズレバー（１６），並びにそれらに付設するばね（１３，１４，１７）などを必要としている。そして、仮に、シャッタ羽根を一つしか備えていないフォーカルプレンシャッタ用の係止解除手段として構成した場合でも、電磁石と鉄片レバーが一組になるだけであって、その他の構成部材は依然として全て必要である。そのため、このような構成の係止解除手段は、構成部材が多すぎて、シャッタの仕様ごとに異なる配置設計をしなければならないという問題点がある。しかも、部材点数が多いことから、部材の製作費が高くなるのに加え、組立工数も大きくなって、コスト面で不利であるという問題点もある。
【０００９】
本発明は、このような問題点を解決するためになされたものであり、その目的とするところは、吸着面を有する電磁石を用いた従来の構成のように、塵埃の付着等に起因する誤動作を生じさせることのない係止解除手段を備えたカメラ用フォーカルプレンシャッタを提供することであり、その上に、従来より構成を簡単にすることも可能であって、そのようにした場合には、コスト面でも極めて有利となる係止解除手段を備えたカメラ用フォーカルプレンシャッタを提供することである。
【課題を解決するための手段】
【００１０】
上記の目的を達成するために、本発明のカメラ用フォーカルプレンシャッタは、露光開口を開閉する少なくとも一つのシャッタ羽根と、前記シャッタ羽根に連結されていて撮影時には駆動ばねの付勢力によって前記シャッタ羽根を伴ってセット位置から作動させられる少なくとも一つの駆動部材と、撮影終了後に前記シャッタ羽根を伴って前記駆動部材を前記駆動ばねの付勢力に抗してセット位置へ作動させるセット部材と、前記駆動部材をセット位置で前記駆動ばねの付勢力に抗して係止する少なくとも一つの係止部材と、コイルと往復作動可能な軸状の可動子とを有していて撮影に際して該コイルに通電されたとき該可動子が往動して前記係止部材による前記駆動部材の係止を解除させる少なくとも一つの係止解除手段と、を備えているようにする。
【００１１】
そして、その場合、前記コイルと前記可動子とは、前記コイルがソレノイドであり、前記可動子は、該ソレノイドの中空部内において、該ソレノイドに通電されるとばねの付勢力に抗して往動され、通電を断つと該ばねの付勢力によって復動する電磁プランジャユニットとして構成されていると、市販されている汎用の電磁プランジャをしようすることができ、コスト的に極めて好ましいものになる。
【００１２】
また、前記係止解除手段が、さらに、前記可動子に連動して作動する仲介部材を有していて、前記コイルに通電されたとき、前記可動子が前記仲介部材を介して前記係止部材による前記駆動部材の係止を解除させるように構成してもよい。また、それに代わる構成としては、前記係止解除手段が、さらに、初期位置から自己の習性で作動したとき前記係止部材による前記駆動部材の係止を解除させる解除部材と、セット時に自己の習性に抗して作動させられ前記解除部材を初期位置に作動させた後は次の撮影までホールド係止部材に係止されて前記解除部材を初期位置に維持させるホールド部材と、を有していて、撮影に際して前記コイルに通電され前記可動子が往動して前記解除部材を初期位置に維持させると、前記ホールド部材は前記レリーズ部材による係止を解かれ、その直後に前記可動子が復動すると、前記解除部材が自己の習性で初期位置から作動するようにしてもよい。
【００１３】
更に、本発明のカメラ用羽根駆動装置は、前記少なくとも一つのシャッタ羽根が、二つのシャッタ羽根であり、前記少なくとも一つの駆動部材が、前記二つのシャッタ羽根に個々に連結した二つの駆動部材であり、前記少なくとも一つの係止部材が、前記二つの駆動部材をセット位置で個々に係止する二つの係止部材であり、前記少なくとも一つの係止解除手段が、前記二つの係止部材による前記二つの駆動部材の係止を個々に解除させる二つの係止解除手段であって、撮影に際しては前記二つの係止解除手段のコイルに対して所定の時間間隔で通電するようにしてもよい。
【発明の効果】
【００１４】
本発明は、係止タイプのカメラ用フォーカルプレンシャッタにおいて、係止解除手段が、コイルと、往復作動可能な軸状の可動子とを有していて、撮影に際しては、その可動子の作動によって、係止部材による駆動部材の係止を解除させるようにしたから、従来のように、吸着面を有する電磁石への通電を断つことによって、係止部材による駆動部材の係止を解除させるようにした構成のように、その吸着面に塵埃が付着して誤動作をしてしまうということが全くなく、しかも、市販されている汎用の電磁プランジャを使用することが可能であるほか、係止解除手段の構成を従来より簡単にすることも可能であるため、そのようにした場合には、コスト面でも極めて有利なものとなる。
【発明を実施するための最良の形態】
【００１５】
本発明の実施の形態を、三つの実施例によって説明する。これらの実施例のフォーカルプレンシャッタは、いずれも、二つのシャッタ羽根を備えていて、銀塩フィルムカメラにもデジタルカメラにも採用することができるものであるが、説明の便宜上、デジタルカメラに採用されている場合を前提にして説明することにする。尚、図１〜図１２は、実施例１を説明するためのものであり、図１３〜図１５は、実施例２を説明するためのものであり、図１６〜図１８は、実施例３を説明するためのものである。
【実施例１】
【００１６】
先ず、図１〜図１２を用いて実施例１を説明する。尚、図１及び図２は、本実施例のセット状態（撮影待機状態）を被写体側から見て示した平面図であるが、図１は、主にシャッタ羽根の開閉駆動機構を示したものであり、図２は、主に開閉駆動機構の係止解除機構を示したものである。そして、本来であれば、図２に示されている各構成部材は、図１に示された開閉駆動機構に被写体側から重ねて取り付けられているものであるが、そのようにして図示すると図面が見にくくなるため、二つに分けて示したものである。従って、両者の関係を分かり易くするために、一部の構成部材を両方に示してある。
【００１７】
そこで、先ず、本実施例の構成を、このようにして示した図１及び図２を用いて説明する。図１において、シャッタ地板１は、その略中央部に開口部１ａを形成している。また、周知であるためシャッタ地板１を切り欠いて一部分だけしか図示していないが、シャッタ地板１の背面側には、所定の間隔を空けて、中間板２と補助地板３が順に取り付けられ、シャッタ地板１と中間板２との間に後述の後羽根の羽根室を構成し、中間板２と補助地板３との間に後述の先羽根の羽根室を構成している。そして、それらの中間板２と補助地板３にも、開口部１ａと重なるところに類似の形状の開口部が形成されているが、露光開口は、開口部１ａによって規制されるようになっている。また、開口部１ａの左側には、円弧状の二つの長孔１ｂ，１ｃが形成されている。そして、それらの長孔１ｂ，１ｃの上端部には、平面形状が略Ｃ字状をしたゴム製の緩衝部材４，５が取り付けられている。
【００１８】
シャッタ地板１の被写体側は２階建てになっていて、１階と２階の間には一部に中２階が設けられている。即ち、シャッタ地板１の被写体側の面に立設された軸１ｄ，１ｅ，１ｆには、シャッタ地板１との間に所定の間隔を空けて上地板６が取り付けられている。そして、その上地板６は、図１においては外形だけが二点鎖線で示されており、図２においては実際の形状が実線で示されている。また、図２に示されているように、上地板６の被写体側の面に立設された軸６ａ，６ｂには、上地板６との間に所定の間隔を空けてカバー板７が平行に取り付けられており、そのカバー板７は、図２において、二点鎖線で示されている。更に、シャッタ地板１の被写体側の面には、明示されていない二つの軸が立設されていて、それらの軸の先端面には、シャッタ地板１との間にも、上地板６との間にも所定の間隔を空けるようにして、面積の小さな棚板８が、図１に示すように、二つのビス９，１０によって取り付けられている。そして、この棚板８には、上地板６側に、折曲部８ａが設けられているほか、軸８ｂが立設されている。
【００１９】
シャッタ地板１の被写体側の面には、図１に示されているように、上記の軸１ｄ，１ｅ，１ｆのほかに、さらに、軸１ｇ，１ｉ，１ｊが立設されているが、それらのうち軸１ｇ，１ｉは、シャッタ地板１を貫通していて、背面側にも立設された構成をしている。また、シャッタ地板１の背面側、即ち固体撮像素子側の面には、それらの軸１ｇ，１ｉのほかに、軸１ｋ，１ｍも立設されている。
【００２０】
そして、シャッタ地板１の被写体側において、上記の軸１ｇには、先羽根用駆動部材１１が回転可能に取り付けられていて、図示していない先羽根用駆動ばねによって、反時計方向へ回転するように付勢されており、その回転によって、一部が、シャッタ地板１と棚板８との間に入り込む配置構成になっている。また、この先羽根用駆動部材１１は、被係止部１１ａを有しており、被写体側の面にはローラ１１ｂを回転可能に取り付け、背面側には駆動ピン１１ｃを設けている。そして、その駆動ピン１１ｃは、シャッタ地板１の長孔１ｂを貫通して、羽根室内で先羽根に連結されているが、その先羽根の構成については後述する。
【００２１】
また、シャッタ地板１の被写体側において、上記の軸１ｈには、後羽根用駆動部材１２が回転可能に取り付けられており、図示していない後羽根用駆動ばねによって、反時計方向へ回転するように付勢されている。この後羽根用駆動部材１２は、被係止部１２ａを有しており、被写体側の面にはローラ１２ｂを回転可能に取り付け、背面側には駆動ピン１２ｃを設けている。そして、その駆動ピン１２ｃは、シャッタ地板１の長孔１ｃを貫通して、羽根室内で後羽根に連結されているが、その後羽根の構成については後述する。
【００２２】
シャッタ地板１の軸１ｊには、セット部材１３が回転可能に取り付けられており、図示していないばねによって、時計方向へ回転するように付勢されている。そして、このセット部材１３は、被押動部１３ａを有しており、シャッタ地板１側の面には、上記の先羽根用駆動部材１１のローラ１１ｂに接触し得るローラ１３ｂと、上記の後羽根用駆動部材１２のローラ１２ｂに接触し得るローラ１３ｃとが取り付けられている。
【００２３】
また、棚板８の軸８ｂには、セット操作部材１４が回転可能に取り付けられている。このセット操作部材１４は、シャッタ地板１側の面に二つのローラ１４ａ，１４ｂを取り付けていて、上地板６側の面には押動部１４ｃが設けられている。そして、このセット操作部材１４自体は、ばねによって回転力を付与されていない。そのため、図１においては、このセット操作部材１４は、セット部材１３を付勢しているばねの力によって、ローラ１４ｂが被押動部１３ａに押されて反時計方向へ回転するのを、棚板８の折曲部８ａによって阻止されている状態となっている。
【００２４】
シャッタ地板１の軸１ｉには、先羽根用係止部材１５が回転可能に取り付けられていて、図示していないばねによって、反時計方向へ回転するように付勢されている。この先羽根用係止部材１５は、シャッタ地板１側に折り曲げた係止部１５ａを有しているが、図１においては、この係止部１５ａが、先羽根用駆動部材１１の被係止部１１ａを係止し、先羽根用駆動部材１１の反時計方向への回転を阻止している。また、この先羽根用係止部材１５は、折り曲げ形状をした長い腕部の先端に、上地板６の四角い孔６ｃに挿入され且つその孔６ｃの縁に接し得るように形成された突状部を有しているが、図１に示されているように、その突状部の右半分をさらに高くして形成した被押動部１５ｂを、上地板６とカバー板７の間に配置させるようにしている。
【００２５】
上地板６を取り付けている上記の軸１ｆには、後羽根用係止部材１６が回転可能に取り付けられていて、図示していないばねによって、反時計方向へ回転するように付勢されている。この後羽根用係止部材１６は、シャッタ地板１側に折り曲げた係止部１６ａと、長い腕部の先端において上地板６側に折り曲げた形状の被押動部１６ｂを有している。そして、係止部１６ａは、図１において、後羽根用駆動部材１２の被係止部１２ａを係止し、後羽根用駆動部材１２の反時計方向への回転を阻止している。また、被押動部１６ｂは、図２に示すように、上地板６に形成されている糸巻き形状の孔６ｄに挿入され、上地板６とカバー板７の間に突き出ている。
【００２６】
図２に示すように、上地板６には略中央部に比較的大きな四角い孔６ｅが形成されており、その縁にはカバー板７側に折り曲げた二つの折曲部６ｆ，６ｇが設けられていて、折曲部６ｇには、二つの電磁プランジャ１７，１８が取り付けられている。これらの電磁プランジャ１７，１８は、市販されている一般の電磁プランジャユニットであって、内部にはソレノイドが取り付けられていて、それらに通電されると、ソレノイドの中空部に配置されている可動子１７ａ，１８ａが、図示していないばねの付勢力に抗して図２の左側に移動し、通電を断たれると、ばねの付勢力によって初期位置へ復帰するようになっている。
【００２７】
上地板６に立設されていてカバー板を取り付けている上記の軸６ａ，６ｂには、先羽根用解除部材１９と後羽根用解除部材２０が回転可能に取り付けられており、各々図示していないばねによって、先羽根用解除部材１９は反時計方向へ、後羽根用解除部材２０は時計方向へ付勢されている。そして、先羽根用解除部材１９は、先羽根用係止部材１５の被押動部１５ｂを押す押動部１９ａを有しているほか、折曲部には当接板１９ｂを固定しており、その固定軸の先端を被押動部１９ｃとしている。また、後羽根用解除部材２０は、後羽根用係止部材１６の被押動部１６ｂを押す押動部２０ａを有しているほか、折曲部には当接板２０ｂを固定していて、その固定軸の先端を被押動部１９ｃとしている。
【００２８】
上地板６に立設されている軸６ｈには、上地板６側からホールド部材２１とホールド補助部材２２とが回転可能に取り付けられていて、ホールド部材２１は、図示していないばねによって反時計方向へ回転するように付勢されている。また、ホールド部材２１とホールド補助部材２２との間には、図示していないばねが掛けられていて、ホールド部材２１を時計方向へ回転させ、ホールド補助部材２２を反時計方向へ回転させるように付勢しているが、ホールド部材２１とホールド補助部材２２を相対的に回転させる付勢力は、ホールド部材２１のピン２１ａにホールド補助部材２２の当接部２２ａが当接することによって失われるようになっている。
【００２９】
そして、ホールド部材２１は、上記のピン２１ａのほかに、先端部に押圧部材２３を回転可能に取り付けており、その押圧部材２３の二つの折曲部によって、上記の先羽根用解除部材１９と後羽根用解除部材２０の被押動部１９ｃ，２０ｃを押し、当接板１９ｂ，２０ｂを上地板６の折曲部６ｆに押圧し得るようにしている。他方、ホールド補助部材２２は、折曲部２２ｂより先端側が、上地板６の背面側に配置されており、上地板６の左側に位置した先端には折曲部が設けられていて、その一部が上地板６よりもカバー板７側に延伸して被係止部２２ｃとなっている。
【００３０】
上地板６に立設されている軸６ｉには、先羽根用解除部材１９やホールド部材２１よりもカバー板７側で、ホールド係止部材２４が回転可能に取り付けられており、図示していないばねによって反時計方向へ回転するように付勢されているが、図２に示された状態においては、図示していないストッパによって、その回転が阻止されている。そして、このホールド係止部材２４には、上記のホールド補助部材２２の被係止部２２ｃを係止するための係止部２４ａと、折り曲げ形状をしていて上地板６の右側に突き出している操作部２４ｂとが設けられている。
【００３１】
最後に、各々の羽根室内に配置されている先羽根と後羽根の構成を説明する。先ず、先羽根は、図１に示されているように、シャッタ地板１に立設された二つの軸１ｇ，１ｋに枢着されている二つのアーム２５，２６と、それらの先端に向けて順に枢支された３枚の羽根２７，２８，２９とで構成されていて、羽根２９をスリット形成羽根としている。また、アーム２５に形成された周知の孔に、先羽根用駆動部材１１の駆動ピン１１ｃを嵌合させている。
【００３２】
他方、後羽根は、先羽根を裏返したようにして配置されており、シャッタ地板１に立設されている二つの軸１ｈ，１ｍに枢着された二つのアーム３０，３１と、それらの先端に向けて順に枢支された３枚の羽根３２，３３，３４とで構成されていて、羽根３４をスリット形成羽根としている。また、アーム３０に形成された周知の孔に、後羽根用駆動部材１２の駆動ピン１２ｃを嵌合させている。尚、作動説明に用いる図６，図８，図１１，図１２においては、図面を見易くするために、スリット形成羽根２９，３４以外の羽根２７，２８，３２，３３の一部を省略して示してある。
【００３３】
次に、本実施例の作動を説明する。図１及び図２は、本実施例のセット状態を示している。このとき、セット部材１３は、図示していないばねの付勢力によって時計方向へ回転し、上記したようにローラ１４ｂを押すことによってセット操作部材１４を反時計方向へ回転させ、セット操作部材１４が棚板８の折曲部８ａに当接することによって、図１の状態に保たれている。セット部材１３とセット操作部材１４にとっては、この状態の位置が初期位置である。そして、このセット状態においては、セット部材１３のローラ１３ｂ，１３ｃは、先羽根用駆動部材１１と後羽根用駆動部材１２の各ローラ１１ｂ，１２ｂの作動範囲外に位置している。
【００３４】
また、このセット状態において、先羽根用駆動部材１１は、図示していない先羽根用駆動ばねの付勢力に抗して、被係止部１１ａを先羽根用係止部材１５の係止部１５ａに係止され、後羽根用駆動部材１２は、図示していない後羽根用駆動ばねの付勢力に抗して、被係止部１２ａを後羽根用係止部材１６の係止部１６ａによって係止されている。それにより、先羽根用駆動部材１１の駆動ピン１１ｃに連結されている先羽根は、３枚の羽根２７，２８，２９を展開状態にして開口部１ａを覆った状態を維持され、後羽根用駆動部材１２の駆動ピン１２ｃに連結されている後羽根は、３枚の羽根３２，３３，３４を重畳状態にして開口部１ａの下方位置に格納された状態を維持されている。
【００３５】
更に、このとき、図２に示すように、ホールド補助部材２２は、その被係止部２２ｃをホールド係止部材２４の係止部２４ａに係止されていて、ホールド部材２１に取り付けられた押圧部材２３は、先羽根用解除部材１９と後羽根用解除部材２０の被押動部１９ｃ，２０ｃを押し、当接板１９ｂ，２０ｂを上地板６の折曲部６ｆに押し付けている。そのことは、図２において、ホールド部材２１のピン２１ａとホールド補助部材２２の当接部２２ａとが離れていることからも分かるように、この状態では、ホールド部材２１とホールド補助部材２２との間に掛けられたばねが緊張されていて、ホールド部材２１を反時計方向へ付勢しているばねの付勢力に抗し、ホールド部材２１を時計方向へ回転させるように付勢しているからである。そして、このような状態において、先羽根用解除部材１９と後羽根用解除部材２０の押動部１９ａ，２０ａは、先羽根用係止部材１５と後羽根用係止部材１６の被押動部１５ｂ，１６ｂから離れた状態を維持させられている。
【００３６】
尚、後述の説明からも分かるように、このとき、二つの解除部材１９，２０の当接板１９ｂ，２０ｂは、二つの解除部材１９，２０の押動部１９ａ，２０ａが、二つの係止部材１５，１６の被押動部１５ｂ，１６ｂから離れてさえいれば、上地板６の折曲部６ｆに必ずしも接触していることを要しない。従って、押圧部材２３をホールド部材２１とは別部材にせず、両者を一つの部材としても差し支えない。
【００３７】
このようなセット状態において、カメラのレリーズボタンが押されると、最初に先羽根が開口部１ａの開き作動を開始し、所定時間後に後羽根が閉じ作動を開始して、通常の昼光撮影の場合には、先羽根のスリット形成羽根２９と後羽根のスリット形成羽根３４によってスリットを形成し、固体撮像素子の撮像面を連続的に露光していくことになるが、以下においては、説明の便宜上、先羽根が開口部１ａを全開にしてから後羽根が開口部１ａを閉じ始める場合で説明することにする。
【００３８】
先ず、カメラのレリーズボタンが押されると、図２に示されている二つの電磁プランジャ１７，１８のソレノイドに通電される。そのため、それらの可動子１７ａ，１８ａは、図示していないばねの付勢力に抗して左方向へ移動させられ、先羽根用解除部材１９と後羽根用解除部材２０の折曲部を押し、当接板１９ｂ，２０ｂを上地板６の折曲部６ｆに押し付ける。そのときの状態が、図３に示された状態である。尚、本実施例の場合には、この工程があるために、セット状態においては、上記したように、当接板１９ｂ，２０ｂを上地板６の折曲部６ｆに必ずしも接触させておく必要がないわけである。
【００３９】
その後、ホールド係止部材２４は、カメラ本体側の部材によって操作部２４ｂを押され、図示していないばねの付勢力に抗して時計方向へ回転させられる。それによって、係止部２４ａによる被係止部２２ｃの係止が解除され、先ず、ホールド補助部材２２が、ホールド部材２１との間に掛けられている図示していないばねの付勢力によって反時計方向へ回転させられ、その後、ホールド補助部材２２の当接部２２ａがホールド部材２１のピン２１ａに当接してからは、ホールド部材２１とホールド補助部材２２の両方が、ホールド部材２１にだけに掛けられている図示していないばねの付勢力によって反時計方向へ回転させられる。
【００４０】
そして、押圧部材２３が上地板６の折曲部６ｇに当接することによって、その回転を停止させられた状態が、図４に示された状態である。このとき、二つの解除部材１９，２０は、二つの電磁プランジャ１７，１８の可動子１７ａ，１８ａによって、依然として図３の状態と同じ状態を維持させられている。そして、その後、ホールド係止部材２４の操作部２４に対するカメラ本体側の部材の押圧力が解かれると、ホールド係止部材２４は図示していないばねの付勢力によって反時計方向へ回転するが、その回転は、係止部２４ａがホールド補助部材２２の被係止部２２ｃに当接することによって停止させられる。
【００４１】
その後、露光制御回路からの信号によって電磁プランジャ１７のソレノイドに対する通電が断たれると、図示していないばねの付勢力によって、可動子１７ａが急速に初期位置へ復帰する。そのため、先羽根用解除部材１９も図示していないばねの付勢力によって反時計方向へ回転させられ、押動部１９ａが先羽根用係止部材１５の被押動部１５ｂを押し、先羽根用係止部材１５を図示していないばねの付勢力に抗して時計方向へ回転させ、先羽根用係止部材１５の係止部１５ａによる先羽根用駆動部材１１の被係止部１１ａの係止を解く。その状態が、図５に示された状態である。
【００４２】
このようにして、先羽根用係止部材１５による係止を解かれると、先羽根用駆動部材１１は、図示していない先羽根用駆動ばねの付勢力によって、図１の状態から急速に反時計方向へ回転させられる。そのため、先羽根の３枚の羽根２７，２８，２９は、隣接する羽根同士の重なりを大きくしつつ開口部１ａの上方へ作動し、開口部１ａの下方から開口部１ａを開放していく。そして、開口部１ａが全開になると、その直後に、先羽根用駆動部材１１は、その駆動ピン１１ｃが、長孔１ｂの上端に取り付けられた緩衝部材４に当接して停止させられ、先羽根の３枚の羽根２７，２８，２９は、重畳されて開口部１ａの上方位置で格納状態になる。図６は、その状態を示したものである。
【００４３】
先羽根が開口部１ａを全開にすると、続いて、もう一方の電磁プランジャ１８のソレノイドに対する通電が断たれる。それによって、可動子１８ａが、図示していないばねの付勢力によって急速に初期位置へ復帰するため、後羽根用解除部材２０も図示していないばねの付勢力によって時計方向へ回転させられる。そのため、後羽根用解除部材２０の押動部２０ａが後羽根用係止部材１６の被押動部１６ｂを押し、後羽根用係止部材１６を図示していないばねの付勢力に抗して時計方向へ回転させ、後羽根用係止部材１６の係止部１６ａによる後羽根用駆動部材１２の被係止部１２ａの係止を解く。その状態が、図７に示された状態である。
【００４４】
このようにして、後羽根用係止部材１６による係止を解かれると、後羽根用駆動部材１２は、図示していない後羽根用駆動ばねの付勢力によって、図６の状態から急速に反時計方向へ回転させられる。そのため、後羽根の３枚の羽根３２，３３，３４は、隣接する羽根同士の重なりを小さくしつつ開口部１ａ内へ作動し、開口部１ａの下方から開口部１ａを閉鎖していく。そして、開口部１ａが完全に閉鎖すると、その直後に、後羽根用駆動部材１２は、その駆動ピン１２ｃが、長孔１ｃの上端に取り付けられた緩衝部材５に当接して停止させられる。図８は、このようにして、先羽根と後羽根による露光作動が終了し、後羽根の３枚の羽根３２，３３，３４が展開状態となって開口部１aを閉鎖している状態を示したものである。
【００４５】
このようにして撮影が終了すると、次にセット作動が行われる。その場合、本実施例においては、セット操作部材１４が、図示していないカメラ本体側の部材によってローラ１４ａを押され、時計方向へ回転させられる。そのため、一方では、セット操作部材１４の押動ピン１４ｃによって、ホールド補助部材２２が図７において時計方向へ回転させられ、他方では、セット操作部材１４のローラ１４ｂによって、セット部材１３が図８において反時計方向へ回転させられる。このようなホールド補助部材２２とセット部材１３の回転は、略同時に並行して行われるが、説明の都合上、ホールド補助部材２２の方から説明することにする。
【００４６】
上記のように、図８に示された状態において、セット操作部材１４が時計方向へ回転させられると、押動ピン１４ｃがホールド補助部材２２を時計方向へ回転させるが、このときには、ホールド部材２１のみに掛けられているばねの付勢力よりも、ホールド部材２１とホールド補助部材２２との間に掛けられているばねの付勢力の方が大きいため、ホールド部材２１とホールド補助部材２２の両方が、ピン２１ａと当接部２２ａを接触させたまま、ホールド部材２１のみに掛けられているばねの付勢力に抗して、図７に示された状態から、同時に時計方向へ回転することになる。
【００４７】
このような時計方向の回転中、ホールド補助部材２２は、その被係止部２２ｃが、ホールド係止部材２４の係止部２４ａの左端面を摺動してゆくことになるが、ホールド部材２１の方は、押圧部材２３によって、先羽根用解除部材１９と後羽根用解除部材２０の被押動部１９ｃ，２０ｃを押し、先羽根用解除部材１９を、図示していないばねの付勢力に抗して時計方向へ回転させ、後羽根用解除部材２０を、図示していないばねの付勢力に抗して反時計方向へ回転させていく。また、それに伴い、それらの解除部材１９，２０の押動部１９ａ，２０ａによって押されていた力が解かれていくため、先羽根用係止部材１５と後羽根用係止部材１６も、夫々の図示していないばねの付勢力によって反時計方向へ回転させられていく。そして、先羽根用解除部材１９と後羽根用解除部材２０の当接板１９ｂ，２０ｂが上地板６の折曲部６ｆに接した瞬間の状態が、図９に示された状態である。
【００４８】
このとき、既に、それらの解除部材１９，２０の押動部１９ａ，２０ａと二つの係止部材１５，１６の被押動部１５ｂ，１６ｂとの接触は解かれており、二つの係止部材１５，１６の回転は、係止部材１５の被押動部１５ｂを形成している突状部が上地板６の孔６ｃの左縁に当接し、係止部材１６の被押動部１６ｂが上地板６ｄの左縁に当接して、それ以前に停止させられている。このような図９の状態からホールド補助部材２２がさらに時計方向へ回転させられると、ホールド部材２１の方はそれ以上回転することができないので、ホールド補助部材２２の当接部２２ａがホールド部材２１のピン２１ａから離れ、ホールド部材２１との間に掛けられたばねを緊張させていく。
【００４９】
そして、その直後には、ホールド補助部材２２の被係止部２２ｃとホールド係止部材２４の係止部２４ａとの摺接関係が解かれるので、ホールド係止部材２４が図示していないばねの付勢力によって反時計方向へ僅かに回転し、図示していないストッパに当接することによって、ホールド補助部材２２の係止可能状態になる。その係止可能状態になった瞬間が図１０に示されているが、実際には、ホールド補助部材２２はさらに回転させられるので、ホールド係止部材２４は、後述するように、セット操作部材１４がセット操作を終了して反時計方向へ復動するとき、その係止部２４ａによってホールド補助部材２２の被係止部２２ｃを係止することになる。
【００５０】
他方、図８の状態から、カメラ本体側の部材によって、セット操作部材１４が時計方向へ回転させられると、セット操作部材１４のローラ１４ｂが、セット部材１３の被押動部１３ａを押し、セット部材１３を、図示していないばねの付勢力に抗して反時計方向へ回転させる。それによって、セット部材１３は、ローラ１３ｂ，１３ｃによって、先羽根用駆動部材１１と後羽根用駆動部材１２のローラ１１ｂ，１２ｂを順に押し、それらの駆動部材１１，１２を、図示していない各々の駆動ばねの付勢力に抗して、時計方向へ回転させることになる。
【００５１】
そこで、先ず、先羽根用駆動部材１１が時計方向へ回転を開始させられると、開口部１ａの上方位置に格納されていた先羽根の３枚の羽根２７，２８，２９が、隣接する羽根同士の重なり量を小さくしつつ下方へ作動させられていく。そして、先羽根のスリット形成羽根２９と後羽根のスリット形成羽根３４の重なりが所定量に達すると、後羽根用駆動部材１２も時計方向へ回転を開始させられるようになる。そのため、後羽根の３枚の羽根３２，３３，３４は、その時点から隣接する羽根同士の重なり量を小さくしつつ下方へ作動させられるようになる。そして、それ以後は、先羽根と後羽根は、スリット形成羽根同士の重なり量を好適に保ちながら作動を続けていくことになる。
【００５２】
このようにして、セット作動が行われてゆき、先羽根の３枚の羽根２７，２８，２９が展開状態となって開口部１ａを覆い、後羽根の３枚の羽根３２，３３，３４が重畳状態となって開口部１ａの下方位置に達した段階になると、先羽根用駆動部材１１の被係止部１１ａが先羽根用係止部材１５の係止部１５ａに接触して、先羽根用係止部材１５を、図示していないばねの付勢力に抗して僅かに時計方向へ回転させ始める。そして、先羽根用駆動部材１１がなおも回転を続けることによってそれらの接触が解かれると、先羽根用係止部材１５は、図示していないばねの付勢力によって反時計方向へ回転させられ、係止部１５ａによる被係止部１１ａの係止可能状態になる。図１１は、その状態を示したものである。
【００５３】
しかも、図１１の状態になる直前には、既に、後羽根用駆動部材１２の被係止部１２ａも後羽根用係止部材１６の係止部１６ａに接触していて、図１１の状態になったときには、後羽根用係止部材１６を、図示していないばねの付勢力に抗して僅かに時計方向へ回転させた状態になっている。そのため、この状態から後羽根用駆動部材１２がなおも反時計方向へ回転させられると、被係止部１２ａと係止部１６ａとの接触が解かれることになって、後羽根用係止部材１６は、図示していないばねの付勢力によって反時計方向へ回転させられ、係止部１６ａによる被係止部１２ａの係止可能状態になる。図１２は、その状態を示したものである。
【００５４】
図示していないカメラ本体側の部材によるセット操作部材１４の時計方向への回転力は、セット操作部材１４が図１２の状態になった直後に失われる。そのため、セット部材１３は、図示していないばねの付勢力によって時計方向へ回転し得るようになり、その被押動部１３ａがセット操作部材１４のローラ１４ｂを押して、セット操作部材１４を反時計方向へ回転させていく。そして、後羽根用駆動部材１２が、図示していない後羽根用駆動ばねの付勢力によって追従し、その被係止部１２ａが後羽根用係止部材１６の係止部１６ａによって係止されると、セット部材１３のローラ１３ｃが後羽根用駆動部材１２のローラ１２ｂから離れてゆき、続いて、先羽根用駆動部材１１が、図示していない先羽根用駆動ばねの付勢力によって追従し、その被係止部１１ａが先羽根用係止部材１５の係止部１５ａによって係止されると、セット部材１３のローラ１３ｂも先羽根用駆動部材１１のローラ１１ｂから離れてゆく。
【００５５】
他方、セット操作部材１４が反時計方向へ回転させられていくと、その押動ピン１４ｃがホールド補助部材２２の押圧力を解いていく。そのため、ホールド補助部材２２は、ホールド部材２１との間に掛けられたばねの付勢力によって追従し、その被係止部２２ｃがホールド係止部材２４の係止部２４ａによって係止される。しかしながら、その係止状態においては、ホールド補助部材２２の当接部２２ａは、未だホールド部材２１のピン２１ａに接触していない。その後、セット部材１３は、なおもセット操作部材１４を反時計方向へ回転させ、セット操作部材１４が棚板８の折曲部８ａに当接すると停止する。図１及び図２は、そのようにしてセット作動が完了した状態を示したものであり、この状態が次の撮影の待機状態である。
【００５６】
このように、本実施例の場合は、シャッタ羽根の作動開始時機を、電磁プランジャを用いて制御している。そのため、従来のような電磁石を用いた構成に比較して、吸着面を必要としないので、塵埃や湿気の影響を受けて誤動作するようなことがなく、所定のタイミングで、係止部材による駆動部材の係止を解除することが可能になる。また、本実施例のように構成すれば、市販されている汎用で廉価な電磁プランジャを採用することができるので、コスト上でも有利である。更に、本実施例の場合には、電磁プランジャの通電を断ち、可動子がばねの付勢力によって安定な作動をするのに連動して、解除部材が、係止部材による駆動部材の係止を解除させるので、従来の電磁石を用いたものと同等な性能が得られる。
【００５７】
尚、本実施例の場合には、本発明を、銀塩フィルムカメラにもデジタルカメラにも採用することのできる二つのシャッタ羽根（先羽根と後羽根）を備えたフォーカルプレンシャッタとして構成したものである。しかしながら、本実施例の構成部材のうち、アーム２５，２６と羽根２７，２８，２９とからなる先羽根と、先羽根用駆動部材１１と、先羽根用係止部材１５と、先羽根用解除部材１９と、電磁プランジャ１７とを取り外した構成にすれば、デジタルカメラにだけ採用することの可能な一つのシャッタ羽根を備えたフォーカルプレンシャッタとすることができる。また、本実施例の場合には、一つのシャッタ羽根が３枚の羽根を備えているが、羽根の枚数は、１枚だけであってもよいし、３枚以外の複数枚であっても構わない。そして、これらのことは、以下の各実施例の場合にも同じことが言える。
【実施例２】
【００５８】
次に、実施例２を説明する。本実施例におけるシャッタ羽根の開閉駆動機構は、図１に示された実施例１におけるシャッタ羽根の開閉駆動機構と殆ど同じであって、その異なる点は、セット操作部材１４に、押動ピン１４ｃを設けていないだけである。そのため、本実施例の説明には、実施例１の説明に用いた図１,図６,図８,図１１,図１２を準用し、それらの図面に記載されている構成の説明を省略する。このことから、本実施例の構成説明は、図１３〜図１５に示されている係止解除機構についてだけとするが、その係止解除機構についても、実施例１の場合と実質的に同じ部材や部位には同じ符号を用いている。
【００５９】
図１３では、上記の図２と同様にして、シャッタ地板１に立設された三つの軸１ｄ，１ｅ，１ｆに取り付けられている上地板６を実線で示し、その上地板６に立設された二つの軸６ａ，６ｂに取り付けられているカバー板７を二点鎖線で示している。しかしながら、上地板６の外形形状は、実施例１の場合よりもシンプルな形状になっている。また、本実施例の上地板６には、実施例１の場合と同じ形状をした三つの孔６ｃ，６ｄ，６ｅが形成されているが、孔６ｅの縁には一つの折曲部６ｇが設けられているだけである。そして、その折曲部６ｇには、実施例１と全く同じ二つの電磁プランジャ１７,１８が、同じ配置で取り付けられている。
【００６０】
また、本実施例の場合には、上地板６に、さらに二つの軸６ｊ,６ｋが立設されていて、それらに、仲介部材３５,３６が回転可能に取り付けられている。そして、それらの仲介部材３５,３６は、両端に押動ピン３５ａ，３６ａと被押動ピン３５ｂ,３６ｂを有していて、図示していない各々のばねによって、仲介部材３５は反時計方向へ、仲介部材３６は時計方向へ回転するように付勢されており、図１３においては、それらの被押動ピン３５ｂ,３６ｂを、電磁プランジャ１７,１８の可動子１７ａ，１８ａの先端に接触させている。
【００６１】
次に、図１３〜図１５のほかに、実施例１の説明でも用いた図１,図６,図８,図１１,図１２を用いて本実施例の作動を説明するが、実施例１の説明と重複する事項については、出来るだけ簡潔に説明することにする。図１及び図１３は、本実施例のセット状態を示したものである。このとき、セット部材１３は初期位置にある。また、先羽根用駆動部材１１と後羽根用駆動部材１２は、それらの被係止部１１ａ,１２ａを、先羽根用係止部材１５と後羽根用係止部材１６の係止部１５ａ,１６ａに係止され、先羽根の３枚の羽根２７，２８，２９で開口部１ａを覆わせ、後羽根の３枚の羽根３２，３３，３４を開口部１ａの下方位置に格納している。他方、仲介部材３５,３６は、図示していないばねの付勢力によって、被押動ピン３５ｂ,３６ｂを、電磁プランジャ１７,１８の可動子１７ａ，１８ａに接触させられ、押動ピン３５ａ，３６ａを、先羽根用係止部材１５と後羽根用係止部材１６の被押動部１５ｂ，１６ｂから離されている。
【００６２】
このセット状態において、カメラのレリーズボタンが押されると、露光制御回路からの信号によって、先ず、電磁プランジャ１７のソレノイドにだけ通電される。それによって、電磁プランジャ１７の可動子１７ａは、図１３において、図示していないばねの付勢力に抗して左方向へ移動させられ、仲介部材３５の被押動ピン３５ｂを押し、仲介部材３５を、図示していないばねの付勢力に抗して時計方向へ回転させる。そのため、仲介部材３５の押動部３５ａが先羽根用係止部材１５の被押動部１５ｂを押し、先羽根用係止部材１５を図示していないばねの付勢力に抗して時計方向へ回転させ、先羽根用係止部材１５の係止部１５ａによる先羽根用駆動部材１１の被係止部１１ａの係止を解く。その状態が、図１４に示された状態である。
【００６３】
先羽根用駆動部材１１は、先羽根用係止部材１５による係止を解かれると、図示していない先羽根用駆動ばねの付勢力によって、図１の状態から急速に反時計方向へ回転させられ、先羽根の３枚の羽根２７，２８，２９に、開口部１ａの開き作動を行わせ、開口部１ａの全開直後に、その駆動ピン１１ｃが緩衝部材４に当接することによって停止させられる。図６が、そのときの状態を示したものである。
【００６４】
上記のような電磁プランジャ１７のソレノイドに対する通電に引き続き、他方の電磁プランジャ１８のソレノイドに対しても通電が開始されると、電磁プランジャ１８の可動子１８ａは、図１４において、図示していないばねの付勢力に抗して左方向へ移動させられ、仲介部材３６の被押動ピン３６ｂを押し、図示していないばねの付勢力に抗して、仲介部材３６を時計方向へ回転させる。そのため、仲介部材３６の押動部３６ａが後羽根用係止部材１６の被押動部１６ｂを押し、図示していないばねの付勢力に抗して、後羽根用係止部材１６を時計方向へ回転させ、後羽根用係止部材１６の係止部１６ａによる後羽根用駆動部材１２の被係止部１２ａの係止を解く。その状態が、図１５に示された状態である。
【００６５】
このようにして、後羽根用係止部材１６による係止が解かれると、図示していない後羽根用駆動ばねの付勢力によって、後羽根用駆動部材１２は、図６の状態から急速に反時計方向へ回転させられ、後羽根の３枚の羽根３２，３３，３４に、開口部１ａの閉じ作動を行わせ、開口部１ａの閉鎖直後に、その駆動ピン１２ｃが緩衝部材５に当接することによって停止させられる。図８が、そのときの状態を示したものである。
【００６６】
他方、この状態になると、二つの電磁プランジャ１７,１８のソレノイドに対する通電が断たれる。それによって、電磁プランジャ１７,１８の可動子１７ａ，１８ａは、図示していないばねの付勢力によって、図１５の状態から右方向へ復帰作動を行うが、その作動に追従して、一方の仲介部材３５は、図示していないばねの付勢力によって反時計方向へ回転し、他方の仲介部材３６は、図示していないばねの付勢力によって時計方向へ回転する。更に、仲介部材３５,３６の作動に追従して、先羽根用係止部材１５と後羽根用係止部材１６も、図示していない各々のばねの付勢力によって反時計方向へ回転する。
【００６７】
そして、その後、先羽根用係止部材１５の回転が、被押動部１５ｂを形成している突状部が孔６ｃの左縁に当接することによって停止し、後羽根用係止部材１６の回転が、被押動部１６ｂが孔６ｄの左縁に当接することによって停止すると、その直後には、上記の可動子１７ａ，１８ａが原位置に復帰し、仲介部材３５,３６の回転も停止する。従って、その停止状態は、先羽根用係止部材１５と後羽根用係止部材１６が、先羽根用駆動部材１１と後羽根用駆動部材１２を係止した状態になっていないとはいえ、図１３に示された状態と同じ状態になる。
【００６８】
次に、このような状態からセット作動が行われる。図示していないカメラ本体側の部材によって、セット操作部材１４が時計方向へ回転させられると、セット操作部材１４のローラ１４ｂが、セット部材１３を、図示していないばねの付勢力に抗して反時計方向へ回転させる。それにより、セット部材１３は、ローラ１３ｂ，１３ｃによって、先羽根用駆動部材１１と後羽根用駆動部材１２のローラ１１ｂ，１２ｂを順に押し、それらの駆動部材１１，１２を、図示していない各々の駆動ばねの付勢力に抗して、時計方向へ回転させる。
【００６９】
そこで、先ず、先羽根用駆動部材１１が時計方向へ回転を開始し、先羽根のスリット形成羽根２９と後羽根のスリット形成羽根３４の重なりが所定量に達すると、後羽根用駆動部材１２も時計方向へ回転を開始する。そして、先羽根の３枚の羽根２７，２８，２９が展開状態となって開口部１ａを覆う段階になると、先羽根用駆動部材１１の被係止部１１ａが先羽根用係止部材１５の係止部１５ａを押して、先羽根用係止部材１５を、図示していないばねの付勢力に抗して僅かに時計方向へ回転させるが、その直後にはその押す力が解除され、先羽根用係止部材１５は、図示していないばねの付勢力によって反時計方向へ復帰して、係止部１５ａが被係止部１１ａの係止可能状態になる。図１１は、その状態を示したものである。
【００７０】
他方、図１１の状態になる直前には、既に後羽根用駆動部材１２の被係止部１２ａも後羽根用係止部材１６の係止部１６ａを、図示していないばねの付勢力に抗して接触しており、図１１の状態になったときには、後羽根用係止部材１６を、図示していないばねの付勢力に抗して僅かに時計方向へ回転させ始めている。そのため、その状態から後羽根用駆動部材１２がなおも反時計方向へ回転させられると、被係止部１２ａと係止部１６ａとの接触が解かれて、後羽根用係止部材１６は、図示していないばねの付勢力によって反時計方向へ回転させられ、係止部１６ａによる被係止部１２ａの係止可能状態になる。図１２は、その状態を示している。
【００７１】
図示していないカメラ本体側の部材によるセット操作部材１４の時計方向への回転力は、セット操作部材１４が図１２の状態になった直後に失われる。そのため、セット部材１３は、図示していないばねの付勢力によって初期位置への復帰作動を開始する。それによって、後羽根用駆動部材１２と先羽根用駆動部材１１は、図示していない各々の駆動ばねの付勢力によって僅かに追従し、後羽根用駆動部材１２は、その被係止部１２ａが後羽根用係止部材１６の係止部１６ａに係止され、続いて、先羽根用駆動部材１１は、その被係止部１１ａが先羽根用係止部材１５の係止部１５ａによって係止される。その後、セット部材１３は、なおもセット操作部材１４を反時計方向へ回転させてゆき、セット操作部材１４が棚板８の折曲部８ａに当接することによって、図１の状態に復帰する。
【００７２】
このように、本実施例の場合にも、シャッタ羽根の作動開始時機を、電磁プランジャを用いて制御している。そのため、従来のような電磁石を用いた構成に比較して、吸着面を必要としないので、塵埃や湿気の影響を受けて誤動作するようなことがなく、所定のタイミングで、係止部材による駆動部材の係止を解除することが可能になる。また、本実施例のように構成すれば、市販されている汎用で廉価な電磁プランジャを採用することができるので、コスト上でも有利である。
【００７３】
更に、本実施例は、図１３と図２を比較すれば明らかなように、係止解除機構の構成部材が、実施例１に比較して極端に少ない。そのため、コストの面では、実施例１よりも圧倒的に有利である。また、本実施例の場合には、電磁プランジャ１７に通電を開始するのは、先羽根用駆動部材１１の係止を解除するときであり、電磁プランジャ１８に通電を開始するのは、後羽根用駆動部材１２の係止を解除するときである。そのため、１回の撮影で、電磁プランジャ１７,１８に通電している時間は、実施例１の場合よりも短くて済み、消費電力の点からも有利である。そして、このことは、後述する実施例３の場合も同様である。それに対し、実施例１の方には、プランジャ１７,１８の可動子１７ａ，１８ａが各々のばねの付勢力によって作動するとき、解除部材１９,２０が各々のばねの付勢力によって駆動部材１１,１２の係止を解除させているので、係止解除のタイミングが、電磁プランジャ１７,１８に対する電流,電圧値によって左右されにくいという利点がある。
【実施例３】
【００７４】
次に、実施例３を説明する。本実施例におけるシャッタ羽根の開閉駆動機構は、図１に示された実施例１におけるシャッタ羽根の開閉駆動機構と殆ど同じである。即ち、本実施例の場合には、図１６から分かるように、被押動部１５ｂを設けている先羽根用係止部材１５の腕部と、被押動部１６ｂを設けている後羽根用係止部材１６の腕部とが、実施例１の場合より短くなっていて、先羽根用係止部材１５の被押動部１５ｂは、後羽根用係止部材１６の被押動部１６ｂと同様に、腕部の最先端に設けられている点が異なるだけである。そのため、実施例１の説明に用いた図１,図６,図８,図１１,図１２を本実施例の説明にも準用し、それらの図面に記載されている構成の説明を省略する。
【００７５】
そこで、図１６を用いて、本実施例における係止解除機構の構成を説明するが、その係止解除機構についても、実施例１の場合と実質的に同じ部材や部位には同じ符号を用いている。図１６においては、本実施例のシャッタ地板１に立設された三つの軸１ｄ，１ｅ，１ｆに取り付けられている上地板６を実線で示し、その上地板６に立設された二つの軸６ａ，６ｂに取り付けられているカバー板７を二点鎖線で示しているが、その上地板６の外形形状は、実施例２の場合と全く同じである。
【００７６】
しかしながら、そこに形成されている孔６ｃ，６ｄは、上記のように、二つの係止部材１５,１６の腕部が短くなったため、それらの配置位置が異なっている。また、本実施例の上地板６には、実施例１,２における孔６ｅが形成されていないが、その代わりとして二つの孔６ｍ,６ｎが形成されていて、それらの縁に設けられている折曲部６ｐ,６ｑには、実施例１,２の場合と全く同じ構成の電磁プランジャ１７,１８が、実施例１,２の場合とは逆向きにして取り付けられている。
【００７７】
次に、図１６〜図１８のほかに、実施例１の説明でも用いた図１,図６,図８,図１１,図１２を用いて本実施例の作動を説明するが、実施例１の説明と重複する事項については、極力簡潔に説明することにする。図１及び図１６は、本実施例のセット状態を示したものである。このとき、セット部材１３は初期位置にあり、先羽根用駆動部材１１と後羽根用駆動部材１２は、先羽根用係止部材１５と後羽根用係止部材１６の係止部１５ａ,１６ａに係止され、先羽根の３枚の羽根２７，２８，２９で開口部１ａを覆わせ、後羽根の３枚の羽根３２，３３，３４を開口部１ａの下方位置に格納している。他方、電磁プランジャ１７,１８の可動子１７ａ，１８ａは、先羽根用係止部材１５と後羽根用係止部材１６の被押動部１５ｂ，１６ｂから離れている。
【００７８】
このセット状態において、カメラのレリーズボタンが押されると、露光制御回路からの信号によって、先ず、電磁プランジャ１７のソレノイドにだけ通電される。それによって、電磁プランジャ１７の可動子１７ａは、図示していないばねの付勢力に抗して、図１６において右方向へ移動させられ、先羽根用係止部材１５の被押動部１５ｂを、図示していないばねの付勢力に抗して押し、係止部１５ａによる先羽根用駆動部材１１の係止を解く。その状態が、図１７に示された状態である。先羽根用駆動部材１１は、先羽根用係止部材１５による係止を解かれると、図示していない先羽根用駆動ばねの付勢力によって急速に反時計方向へ回転させられ、先羽根が開口部１ａを全開にした直後に、その駆動ピン１１ｃが緩衝部材４に当接することによって停止させられる。図６は、そのときの状態を示したものである。
【００７９】
上記のような電磁プランジャ１７のソレノイドに対する通電に引き続き、他方の電磁プランジャ１８のソレノイドに対しても通電されると、電磁プランジャ１８の可動子１８ａは、図１７の状態から、図示していないばねの付勢力に抗して右方向へ移動させられ、後羽根用係止部材１６の被押動部１６ｂを、図示していないばねの付勢力に抗して押し、係止部１６ａによる後羽根用駆動部材１２の係止を解く。その状態が、図１８に示された状態である。後羽根用駆動部材１２は、後羽根用係止部材１６による係止を解かれると、図示していない後羽根用駆動ばねの付勢力によって急速に反時計方向へ回転させられ、後羽根が開口部１ａを閉鎖した直後に、その駆動ピン１２ｃが緩衝部材５に当接することによって停止させられる。図８は、そのときの状態を示したものである。
【００８０】
他方、この状態になると、二つの電磁プランジャ１７,１８のソレノイドに対する通電が断たれるため、可動子１７ａ，１８ａは、図示していないばねの付勢力によって、図１８の状態から左方向へ復帰作動を行うが、その作動に追従して、先羽根用係止部材１５と後羽根用係止部材１６も、図示していない各々のばねの付勢力によって反時計方向へ回転する。そして、その後、二つの係止部材１５,１６の回転が、被押動部１５ｂ,１６ｂを孔６ｃ,６ｄの左縁に当接させて停止すると、その直後には、上記の可動子１７ａ，１８ａが図１６に示されている原位置に復帰する。
【００８１】
次に、このような状態からセット作動が行われるが、本実施例の場合も、実施例２の場合と同様にして、係止解除機構とは全く関係なく、シャッタ羽根の駆動機構だけが、そのセット作動を行わされる。従って、セット操作部材１４によってセット部材１３を反時計方向へ回転させると、先羽根用駆動部材１１と後羽根用駆動部材１２は、図示していない各々の駆動ばねの付勢力に抗して時計方向へ回転させられ、先羽根が開口部１ａを覆う段階になると、先羽根用駆動部材１１は、その被係止部１１ａが先羽根用係止部材１５の係止部１５ａを押すことによって、その直後には図１１に示されているよな係止され得る状態になり、続いて、後羽根用駆動部材１２は、その被係止部１２ａが後羽根用係止部材１６の係止部１６ａを押すことによって、その直後には図１２に示されているような係止され得る状態になる。
【００８２】
そして、その後、セット部材１３が、図示していないばねの付勢力によって初期位置への復帰作動を開始すると、後羽根用駆動部材１２と先羽根用駆動部材１１は、図示していない各々の駆動ばねの付勢力によって僅かに追従し、後羽根用駆動部材１２は後羽根用係止部材１６に係止され、続いて、先羽根用駆動部材１１は先羽根用係止部材１５によって係止される。その後、セット部材１３は、セット操作部材１４が棚板８の折曲部８ａに当接することによって停止し、図１の状態に復帰する。
【００８３】
このように、本実施例の場合にも、シャッタ羽根の作動開始時機を、電磁プランジャを用いて制御している。そのため、従来のような電磁石を用いた構成に比較して、吸着面を必要としないので、塵埃や湿気の影響を受けて誤動作するようなことがなく、所定のタイミングで、係止部材による駆動部材の係止を解除することが可能になる。また、本実施例のように構成すれば、市販されている汎用で廉価な電磁プランジャを採用することができるので、コスト上でも有利である。更に、本実施例は、実施例２における二つの仲介部材３５，３６と、それらを付勢している二つのばねが不要になるので、実施例２の場合よりもコストの面で一層有利である。
【００８４】
尚、上記の各実施例の場合には、電磁プランジャ１７，１８の可動子１７ａ，１８ａを直線的に往復作動させているが、ソレノイドと可動子を円弧状に製作し、可動子を円弧上で往復作動させるようにしても構わない。更に、上記の各実施例においては、電磁プランジャ１７，１８の可動子１７ａ，１８ａが、一方へは電磁力によって作動し、他方へはばね力によって作動するようにしているが、両方向とも電磁力で作動させるようにしても差し支えない。
【図面の簡単な説明】
【００８５】
【図１】セット状態におけるシャッタ羽根の開閉駆動機構を被写体側から見て示した実施例１の平面図である。
【図２】セット状態における係止解除機構を被写体側から見て示した実施例１の平面図である。
【図３】図２と同様に見て示した実施例１の平面図であって、カメラのレリーズ直後に、二つの電磁プランジャに通電された状態を示したものである。
【図４】図２と同様に見て示した実施例１の平面図であって、図３の状態からホールド部材による二つの解除部材の保持力を解いた状態を示したものである。
【図５】図２と同様に見て示した実施例１の平面図であって、図４の状態から先羽根用駆動部材の係止を解除した状態を示したものである。
【図６】図１と同様に見て示した実施例１の平面図であって、先羽根の開き作動が完了した状態を示したものである。
【図７】図２と同様に見て示した実施例１の平面図であって、図５の状態から後羽根用駆動部材の係止を解除した状態を示したものである。
【図８】図１と同様に見て示した実施例１の平面図であって、後羽根の閉じ作動が完了した状態を示したものである。
【図９】図２と同様に見て示した実施例１の平面図であって、図８の状態のあとセット作動が開始された直後の状態を示したものである。
【図１０】図２と同様に見て示した実施例１の平面図であって、図９の状態のあとホールド部材が二つの解除部材の保持状態に係止された状態を示したものである。
【図１１】図１と同様に見て示した実施例１の平面図であって、先羽根と後羽根が図８の状態からセット作動させられ、先羽根が先羽根用係止部材によって係止され得るようになった状態を示したものである。
【図１２】図１と同様に見て示した実施例１の平面図であって、図１１の状態のあと、後羽根が後羽根用係止部材によって係止され得るようになった状態を示したものである。
【図１３】セット状態における係止解除機構を被写体側から見て示した実施例２の平面図である。
【図１４】図１３と同様に見て示した実施例２の平面図であって、先羽根用係止部材が先羽根用駆動部材の係止を解除した状態を示したものである。
【図１５】図１３と同様に見て示した実施例２の平面図であって、図１４に示された状態の後、後羽根用係止部材が後羽根用駆動部材の係止を解除した状態を示したものである。
【図１６】セット状態における係止解除機構を被写体側から見て示した実施例３の平面図である。
【図１７】図１６と同様に見て示した実施例３の平面図であって、先羽根用係止部材が先羽根用駆動部材の係止を解除した状態を示したものである。
【図１８】図１６と同様に見て示した実施例３の平面図であって、図１７に示された状態の後、後羽根用係止部材が後羽根用駆動部材の係止を解除した状態を示したものである。
【符号の説明】
【００８６】
１                            シャッタ地板
１ａ                          開口部
１ｂ，１ｃ                    長孔
１ｄ，１ｅ，１ｆ，１ｇ，１ｈ，１ｉ，１ｊ，１ｋ，１ｍ，６ａ，６ｂ，６ｈ，６ｉ，６ｊ，６ｋ，８ｂ  軸
２                            中間板
３                            補助地板
４，５                        緩衝部材
６                            上地板
６ｃ，６ｄ，６ｅ，６ｍ，６ｎ  孔
７                            カバー板
８                            棚板
６ｆ，６ｇ，８ａ，２２ｂ，６ｐ，６ｑ  折曲部
９，１０                      ビス
１１                          先羽根用駆動部材
１１ａ，１２ａ，２２ｃ        被係止部
１１ｂ，１２ｂ，１３ｂ，１３ｃ，１４ａ，１４ｂ  ローラ
１１ｃ，１２ｃ                駆動ピン
１２                          後羽根用駆動部材
１３                          セット部材
１３ａ，１５ｂ，１６ｂ，１９ｃ，２０ｃ  被押動部
１４                          セット操作部材
１４ｃ，３５ａ，３６ａ        押動ピン
１５                          先羽根用係止部材
１５ａ，１６ａ，２４ａ        係止部
１６                          後羽根用係止部材
１７，１８                    電磁プランジャ
１７ａ，１８ａ                可動子
１９                          先羽根用解除部材
１９ａ，２０ａ                押動部
１９ｂ，２０ｂ                当接板
２０                          後羽根用解除部材
２１                          ホールド部材
２１ａ                        ピン
２２                          ホールド補助部材
２２ａ                        当接部
２３                          押圧部材
２４                          ホールド係止部材
２４ｂ                        操作部
２５，２６，３０，３１        アーム
２７，２８，２９，３２，３３，３４  羽根
３５，３６                    仲介部材
３５ｂ，３６ｂ                被押動ピン
【図１】
2006098484.tif 000003
【図２】
2006098484.tif 000004
【図３】
2006098484.tif 000005
【図４】
2006098484.tif 000006
【図５】
2006098484.tif 000007
【図６】
2006098484.tif 000008
【図７】
2006098484.tif 000009
【図８】
2006098484.tif 000010
【図９】
2006098484.tif 000011
【図１０】
2006098484.tif 000012
【図１１】
2006098484.tif 000013
【図１２】
2006098484.tif 000014
【図１３】
2006098484.tif 000015
【図１４】
2006098484.tif 000016
【図１５】
2006098484.tif 000017
【図１６】
2006098484.tif 000018
【図１７】
2006098484.tif 000019
【図１８】
2006098484.tif 000020